(57)【要約】      （修正有）【課題】空きフロアにそのまま設置可能で、収納容易な、ローラーコンベヤ及びローラーコンベヤを用いたコンベヤラインに係る。【解決手段】隣接する一方のローラー１２に取り付けられるサイドリンク２１側には凸部２２を、隣接する他方のローラー１２に取り付けられるサイドリンク２１側には凹部２３を有し、凹部２３の幅は、凸部２２の幅よりも幅広く設けられ、凸部２２にはロッド１３よりも幅広のロッド貫通部２４が隣接するサイドリンク２１方向に設けられ、凹部２３の空隙部には、取り付けるロッド１３が貫通され、隣接するサイドリンク２１の凹部２３に凸部２２を入れて、凸部２２のロッド貫通部２４にロッド１３を貫通させ、下面で被接地面を支える設置部３１、を備えるローラーコンベヤとローラーコンベヤの間に、被載置物を滑動させるスライド板を設置する、ローラーコンベヤ１１を用いたコンベヤライン。【選択図】図５
2018095355.tif 000002
【特許請求の範囲】
【請求項１】
平行に並べて設置されたローラーと、
ローラーの長手方向中心軸に設置するロッドと、
ロッド端部にそれぞれ取り付けられるサイドリンクと、を有し、
サイドリンクは、
隣接する一方のローラーに取り付けられるサイドリンク側には凸部を、隣接する他方のローラーに取り付けられるサイドリンク側には凹部を有し、
凹部の幅は、凸部の幅よりも幅広く設けられ、
凸部にはロッドよりも幅広のロッド貫通部が隣接するサイドリンク方向に設けられ、
凹部の空隙部には、取り付けるロッドが貫通され、
隣接するサイドリンクの凹部に凸部を入れて、凸部のロッド貫通部にロッドを貫通させ、
下面で被接地面を支える設置部、
を備える、
ローラーコンベヤ。
【請求項２】
平行に並べて設置されたローラーと、
ローラーの長手方向中心軸に設置するロッドと、
ロッド端部にそれぞれ取り付けられるサイドリンクと、を有し、
サイドリンクは、
隣接する一方のローラーに取り付けられるサイドリンク側には凸部を、隣接する他方のローラーに取り付けられるサイドリンク側には凹部を有し、
凹部の幅は、凸部の幅よりも幅広く設けられ、
凸部にはロッドよりも幅広のロッド貫通部が隣接するサイドリンク方向に設けられ、
凹部の空隙部には、取り付けるロッドが貫通され、
隣接するサイドリンクの凹部に凸部を入れて、凸部のロッド貫通部にロッドを貫通させ、
下面で被接地面を支える設置部、
を備えるローラーコンベヤとローラーコンベヤの間に、被載置物を滑動させるスライド板を設置する、
ローラーコンベヤを用いたコンベヤライン。
【発明の詳細な説明】
【技術分野】
【０００１】
本発明は、空きフロアにそのまま設置可能な、ローラーコンベヤ及びローラーコンベヤを用いたコンベヤラインに係る。
【背景技術】
【０００２】
品物をラックに収納および搬出するときは、従来は、台車に積み込み搬送し、少量の場合は手運びしていた。
空きフロアにそのまま設置可能なローラーコンベヤとしては、図１６乃至図１９に図示されるローラーコンベヤ１０１が知られている（非特許文献１「曲がる! ローラーコンベア［連結丸］左右にもカーブできる物流の強い見方」）。同ローラーコンベヤ１０１では、長手方向中心部にロッド１２１を貫通させた、円柱状のローラー１１１を、壁状からなる側壁１３１間に取り付ける。ローラー１１１を取り付けた隣接する側壁１３１相互は、ピン１４１で連結固定する。ローラー１１１を連続させて収納するときは、図１７に図示されるように各ピン１４１を支点として、ローラーコンベヤ１０１を巻き取って全体を丸める。
ローラーコンベヤ１０１全体をカーブさせるとき、あるいはＳ字カーブさせるときは、図１８に図示されるようにカーブの外側に位置する側の側壁１３１のピン１４１を取り外して、図１９に図示されるように隣接する側壁１３１間隔を空けてカーブを作る。
【先行技術文献】
【非特許文献】
【０００３】
【非特許文献１】「曲がる! ローラーコンベア［連結丸］」［online］https://www.youtube.com/watch?v=L0n_-HvgddMhttp://www.e-monz.jp/89_522.html（2016年10月16日現在）
【発明の概要】
【発明が解決しようとする課題】
【０００４】
非特許文献１記載発明に係るローラーコンベヤ１０１では、図１６乃至図１９に図示されるように、ローラー１１１を取り付けた隣接する側壁１３１相互は、通常はピン１４１で連結固定している。
そのため非特許文献１記載発明では、カーブさせあるいはＳ字カーブさせるときは、ローラー１１１を取り付けた隣接する側壁１３１互を連結するピンを取り外す必要がある。ピンを外すと、側壁１３１がフリー状態となるため、側壁１３１を、接地面Ｇに結束バンド１５１等で固定する必要があった。
【課題を解決するための手段】
【０００５】
本発明のローラーコンベヤは、
平行に並べて設置されたローラーと、
ローラーの長手方向中心軸に設置するロッドと、
ロッド端部にそれぞれ取り付けられるサイドリンクと、を有し、
サイドリンクは、
隣接する一方のローラーに取り付けられるサイドリンク側には凸部を、隣接する他方のローラーに取り付けられるサイドリンク側には凹部を有し、
凹部の幅は、凸部の幅よりも幅広く設けられ、
凸部にはロッドよりも幅広のロッド貫通部が隣接するサイドリンク方向に設けられ、
凹部の空隙部には、取り付けるロッドが貫通され、
隣接するサイドリンクの凹部に凸部を入れて、凸部のロッド貫通部にロッドを貫通させ、
下面で被接地面を支える設置部、
を備える。
【０００６】
本発明のローラーコンベヤを用いたコンベヤラインは、
平行に並べて設置されたローラーと、
ローラーの長手方向中心軸に設置するロッドと、
ロッド端部にそれぞれ取り付けられるサイドリンクと、を有し、
サイドリンクは、
隣接する一方のローラーに取り付けられるサイドリンク側には凸部を、隣接する他方のローラーに取り付けられるサイドリンク側には凹部を有し、
凹部の幅は、凸部の幅よりも幅広く設けられ、
凸部にはロッドよりも幅広のロッド貫通部が隣接するサイドリンク方向に設けられ、
凹部の空隙部には、取り付けるロッドが貫通され、
隣接するサイドリンクの凹部に凸部を入れて、凸部のロッド貫通部にロッドを貫通させ、
下面で被接地面を支える設置部、
を備えるローラーコンベヤとローラーコンベヤの間に、被載置物を滑動させるスライド板を設置する、
を備える。
【発明の効果】
【０００７】
凹部の幅は、凸部の幅よりも幅広く設けられ、凸部にはロッドよりも幅広のロッド貫通部が設けられ、凹部の空隙部には、取り付けるロッドが貫通され、隣接するサイドリンクの凹部に凸部を入れて、凸部のロッド貫通部にロッドを貫通させるため、隣接ローラー方向への移動スペースを有する。
そのため、凹部の幅の中を凸部が移動することが可能であり、カーブのときローラーの隣接するローラーとの幅方向の移動を吸収することが可能となる。また、ローラーコンベヤとローラーコンベヤの間に、被載置物を滑動させるスライド板を設置すると、ローラーコンベヤを用いたコンベヤラインの設置が、直線、カーブ、Ｓ字と自在に可能である。
【０００８】
この発明では、空きフロアにコンベヤラインを設けることが可能となる。
凹部の空隙部には、取り付けるロッドが貫通され、隣接するサイドリンクの凹部に凸部を入れて、凸部のロッド貫通部にロッドを貫通させているので、ロッドを回転軸としてサイドリンクを回転させることが可能で、全体を丸めることが可能である。ロッドを回転中心として、サイドリンクを回転させることで、ローラーコンベヤ全体を丸めることができる。丸められるので、収納ボックスに保管して、使用場所への運搬が容易にできる。
そのため、品物をラックに収納および搬出するときは、従来は、台車に積み込み搬送し、少量の場合は手運びしていたが、搬出物置から目的のラックに、ローラーコンベヤを設置することで品物の搬送が容易になった。
【図面の簡単な説明】
【０００９】
【図１】この発明の実施の形態に係るローラーコンベヤの平面図である。
【図２】この発明の実施の形態に係るローラー相互を近接状態とさせたローラーコンベヤの一部拡大平面図である。
【図３】この発明の実施の形態に係るＳ字状としたローラーコンベヤの平面図である。
【図４】この発明の実施の形態に係るＳ字状としたローラーコンベヤの一部拡大平面図である。
【図５】この発明の実施の形態に係るＳ字状としたローラーコンベヤの外側の平面側の一部拡大斜視図である。
【図６】この発明の実施の形態に係るＳ字状としたローラーコンベヤの外側の背面側の一部拡大斜視図である。
【図７】この発明の実施の形態に係るサイドリンクとロッドとの係止状態をあらわすローラーコンベヤの外側の平面側の一部拡大斜視図である。
【図８】この発明の実施の形態に係るローラーコンベヤのサイドリンクの斜視図である。
【図９】この発明の実施の形態に係るローラーコンベヤと使用されるボールキャスターの平面図である。
【図１０】この発明の実施の形態に係るローラーコンベヤの使用状態のコンベヤライン斜視図である。
【図１１】この発明の実施の形態に係るローラーコンベヤの使用状態のコンベヤライン斜視図である。
【図１２】この発明の実施の形態に係るローラーコンベヤの使用状態のコンベヤライン斜視図である。
【図１３】この発明の実施の形態に係るローラーコンベヤを丸めた状態の斜視図である。
【図１４】この発明の実施の形態に係る丸めた状態のローラーコンベヤを収納した状態の斜視図である。
【図１５】この発明の実施の形態に係るボールキャスターを収納するために丸めた状態の斜視図である。
【図１６】従来例の斜視図である。
【図１７】従来例の斜視図である。
【図１８】従来例の斜視図である。
【図１９】従来例の斜視図である。
【発明を実施するための形態】
【００１０】
図面にしたがって、この発明の実施例について説明する。
１１は、発明のローラーコンベヤである。１２は、ローラーコンベヤ１１のローラーである。ローラー１２は、アルミニウム製、ステンレス製あるいはスチール製からなる。ローラー１２は、複数本備えられ、それぞれのローラー１２を、平行に並べて設置される。
１３は、ロッドである。ロッド１３は、金属製からなる。各ロッド１３は、各ローラー１２の長手方向中心軸に設置する。
【００１１】
２１は、サイドリンクである。サイドリンク２１は、樹脂製からなる。サイドリンク２１は、各ロッド１３の両端部にそれぞれ取り付けられる。
２２は、サイドリンク２１に設けられる凸部である。凸部２２は、隣接する一方のローラー１２に取り付けられるサイドリンク２１側に設けられる。
２３は、サイドリンク２１に設けられる凹部である。凹部２３は、隣接する他方のローラー１２に取り付けられるサイドリンク２１側に設けられる。
凹部２３の幅は、凸部２２の幅よりも幅広く設けられる。
２３１は、凹部２３の空隙部である。空隙部２３１は、凹部２３の開口する空間部分からなる。
【００１２】
２４は、サイドリンク２１に設けられるロッド貫通部である。ロッド貫通部２４は、凸部２２の中央部に、ロッド１３よりも幅広のロッド貫通部２４が隣接するサイドリンク２１方向に設けられる。
凹部２３の空隙部２３１には、取り付けるロッド１３が貫通される。隣接するサイドリンク２１の凹部２３に凸部２２を入れて、凸部２２のロッド貫通部２４にロッド１３を貫通させる。
【００１３】
３１は、設置部である。設置部３１は、下面である接地面で被接地面Ｇを支える。
４１は、スライド板である。スライド板４１は、柔軟性のある合成樹脂製板状からなり、被載置物を滑動させるボールキャスター板である。ボールキャスター板であるスライド板４１は、表面を露出させた回転可能な複数の回転手段４２を有する。この実施例では、回転手段４２はボールからなる。回転手段４２は、ボールあるいは、ローラー、金属ボールからなってもよい。４３は、ホルダーである。ホルダー４３は、スライド板４１表面に設置される、半球形で上部が開口する。ホルダー４３には、ホルダー４３内で回転可能に金属製ボールである回転手段４２が嵌合される。
ローラーコンベヤ１１と同ローラーコンベヤ１１の間に、スライド板４１を設置する。
【００１４】
凸部２２には隣接するローラー１２方向に、ロッド１３よりも幅広のロッド貫通部２４が設けられる。
凹部２３の幅は、凸部２２の幅よりも幅広く設けられる。
凹部２３の空隙部２３１には、取り付けるロッド１３が貫通され、隣接するサイドリンク２１の凹部２３に凸部２２を入れて、凸部２２のロッド貫通部２４にロッド１３を貫通させるため、隣接ローラー１１方向への移動スペースを有する。
そのため、凹部２３の幅の中を凸部２２が移動することが可能であり、カーブのときローラー１１の隣接するローラー１１との幅方向の移動を吸収することが可能となる。
【００１５】
また、ローラーコンベヤ１１とローラーコンベヤ１１の間に、被載置物を滑動させるスライド板４１を設置する。そのため、直角送りや、ターン、分岐用お及び作業テーブル上の作業性改善用に、使用できる。作業終了後は、コンベヤと同様に、丸めて収納することが可能となる。ローラーコンベヤ１１を用いたコンベヤライン５１の設置が、直線、カーブ、Ｓ字と自在に可能である。
空きフロアに、コンベヤライン５１を設置することが可能となる。
【００１６】
空隙部２３１には、取り付けるロッド１３が貫通され、隣接するサイドリンク２１の凹部２３に凸部２２を入れて、凸部２２のロッド貫通部２４にロッド１３を貫通させているので、ロッド１３を回転軸としてサイドリンク２１を回転させることが可能で、全体を丸めることが可能である。ロッド１３を回転中心として、サイドリンク２１を回転させることで、ローラーコンベヤ１１全体を丸めることができる。丸められるので、収納ボックスに保管して、使用場所への運搬が容易にできる。
スライド板４１も柔軟性のある合成樹脂製板状からなるので、図１５に図示されるように、全体を丸めることができる。
そのため、品物Ｗをラックに収納および搬出するときは、従来は、台車に積み込み搬送し、少量の場合は手運びしていたが、搬出物置から目的のラックに、ローラーコンベヤ１１を設置することで品物Ｗの搬送が容易になった。
更に、ローラーコンベヤ１１のサイドリンク２１は樹脂製からなるため、チェーンと違い、錆や油汚れがない。
【符号の説明】
【００１７】
１１  ローラーコンベヤ
１２  ローラー
１３  ロッド
２１  サイドリンク
２２  凸部
２３  凹部
２４  ロッド貫通部
３１  設置部
４１  スライド板
５１  コンベヤライン
【図１】
2018095355.tif 000003
【図２】
2018095355.tif 000004
【図３】
2018095355.tif 000005
【図４】
2018095355.tif 000006
【図５】
2018095355.tif 000007
【図６】
2018095355.tif 000008
【図７】
2018095355.tif 000009
【図８】
2018095355.tif 000010
【図９】
2018095355.tif 000011
【図１０】
2018095355.tif 000012
【図１１】
2018095355.tif 000013
【図１２】
2018095355.tif 000014
【図１３】
2018095355.tif 000015
【図１４】
2018095355.tif 000016
【図１５】
2018095355.tif 000017
【図１６】
2018095355.tif 000018
【図１７】
2018095355.tif 000019
【図１８】
2018095355.tif 000020
【図１９】
2018095355.tif 000021